(57)【要約】【課題】中央燃料通路及びノズル孔間の流路抵抗を極力減少させて，弁体の開弁ストローク及び開弁時間を増加させることなく燃料噴射量を増加させ得るようにする。【解決手段】弁体１３，可動コア１２及び連杆１４よりなる弁組立体１０と，固定コア５及び可動コア１２を貫く中央燃料通路４９と，連杆１４及び弁ハウジング３間に画成される燃料室５５と，弁体１３及び弁ハウジング３間に画成され，燃料室５５をノズル孔９に連通し得る外側燃料通路５７とを備え，連杆１４の後端部に，中央燃料通路４９に開口する後側凹部５１ａと，この後側凹部５１ａを燃料室５５に開放する後部切欠き５２ａとを設け，また弁体１３を中空円筒状に形成してその内側に，ノズル孔９と連通し得る内側燃料通路５６を設け，連杆１４の前端部に，内側燃料通路５６に開口する前側凹部５１ｂと，この前側凹部５１ｂを燃料室５５に開放する前部切欠き５２ｂとを設けた。【選択図】      図２
2014070575.tif 000002
【特許請求の範囲】
【請求項１】
弁座（７）及びノズル孔（９）を有するノズル部材（２）と，このノズル部材（２）の後端に連設される筒状の弁ハウジング（３）と，この弁ハウジング（３）の後端に連設される固定コア（５）と，前記弁座（７）と協働してノズル孔（９）を開閉する弁体（１３），前記固定コア（５）の前端の吸引面（５ａ）に対向する可動コア（１２），並びに前記弁体（１３）及び前記可動コア（１２）間を連結する連杆（１４）よりなる弁組立体（１０）と，前記固定コア（５）及び前記弁組立体（１０）間に縮設されて前記弁体（１３）を閉弁方向へ付勢する戻しスプリング（３３）と，前記固定コア（５）を囲繞するように配設され，通電時，発生磁力により前記可動コア（１２）を前記固定コア（５）に吸引させて前記弁体（１３）を開弁させるコイル（２２）とを備えてなり，前記固定コア（５）及び可動コア（１２）の中心部に燃料供給部に連通する中央燃料通路（４９）を設け，また前記連杆（１４）及び前記弁ハウジング（３）間に，前記中央燃料通路（４９）に連通する燃料室（５５）を画成し，前記弁体（１３）及び前記弁ハウジング（３）間に，前記弁体（１３）の開弁時，前記燃料室（５５）を前記ノズル孔（９）に連通する外側燃料通路（５７）を設けた燃料噴射弁において，
前記連杆（１４）の後端部に，前記中央燃料通路（４９）に開口する後側凹部（５１ａ）と，この後側凹部（５１ａ）を前記燃料室（５５）に開放する後部切欠き（５２ａ）とを設け，また前記弁体（１３）を中空円筒状に形成してその内側に，該弁体（１３）の開弁時に前記ノズル孔（９）と連通する内側燃料通路（５６）を設け，前記連杆（１４）の前端部に，前記内側燃料通路（５６）に開口する前側凹部（５１ｂ）と，この前側凹部（５１ｂ）を前記燃料室（５５）に開放する前部切欠き（５２ｂ）とを設けたことを特徴とする燃料噴射弁。
【請求項２】
請求項１記載の燃料噴射弁において，
前記後部及び前部切欠き（５２ａ，５２ｂ）の各深さを，対応する前記後側及び前側凹部（５１ａ，５１ｂ）の深さと同等もしくはそれよりも深く設定したことを特徴とする燃料噴射弁。
【請求項３】
請求項２記載の燃料噴射弁において，
前記後側及び前側凹部（５１ａ，５１ｂ）の各底面に円錐状のガイド突起（５３ａ，５３ｂ）を形成したことを特徴とする燃料噴射弁。
【発明の詳細な説明】
【技術分野】
【０００１】
本発明は，弁座及びノズル孔を有するノズル部材と，このノズル部材の後端に連設される筒状の弁ハウジングと，この弁ハウジングの後端に連設される固定コアと，前記弁座と協働してノズル孔を開閉する弁体，前記固定コアの前端の吸引面に対向する可動コア，並びに前記弁体及び前記可動コア間を連結する連杆よりなる弁組立体と，前記固定コア及び前記弁組立体間に縮設されて前記弁体を閉弁方向へ付勢する戻しスプリングと，前記固定コアを囲繞するように配設され，通電時，発生磁力により前記可動コアを前記固定コアに吸引させて前記弁体を開弁させるコイルとを備えてなり，前記固定コア及び可動コアの中心部に燃料供給部に連通する中央燃料通路を設け，また前記連杆及び前記弁ハウジング間に，前記中央燃料通路に連通する燃料室を画成し，前記弁体及び前記弁ハウジング間に，前記弁体の開弁時，前記燃料室を前記ノズル孔に連通する外側燃料通路を設けた燃料噴射弁の改良に関する。
【背景技術】
【０００２】
かゝる燃料噴射弁は，下記特許文献１に開示されるように既に知られている。
【先行技術文献】
【特許文献】
【０００３】
【特許文献１】特開２００６−７７７７７号公報
【発明の概要】
【発明が解決しようとする課題】
【０００４】
かゝる燃料噴射弁では，弁体の開弁時，燃料は，固定コア可動コアの中心部に設けられる中央燃料通路から，可動コアの横孔を経て弁ハウジング内側の燃料室に移り，そして弁ハウジング及び弁体間に画成される外側燃料通路を通ってノズル孔から噴射されるようになっている。したがって，中央燃料通路からノズル孔に至る燃料流路には複数の屈曲部が存在し，これが流路抵抗となるため，エンジンの高出力化に伴う燃料噴射量増の要請がある場合には，弁体の開弁ストローク及び開弁時間を多く設定することを余儀なくされる。しかしながら，そうすることは，コイルの容量増大，延いては燃料噴射弁の大型化のみならず，コイルの消費電力の増加を招くことになって好ましくない。
【０００５】
本発明は，かゝる事情に鑑みてなされたもので，中央燃料通路及びノズル孔間の流路抵抗を極力減少させて，弁体の開弁ストローク及び開弁時間を増加させることなく燃料噴射量を増加させ得るようにした前記燃料噴射弁を提供することを目的とする。
【課題を解決するための手段】
【０００６】
上記目的を達成するために，本発明は，弁座及びノズル孔を有するノズル部材と，このノズル部材の後端に連設される筒状の弁ハウジングと，この弁ハウジングの後端に連設される固定コアと，前記弁座と協働してノズル孔を開閉する弁体，前記固定コアの前端の吸引面に対向する可動コア，並びに前記弁体及び前記可動コア間を連結する連杆よりなる弁組立体と，前記固定コア及び前記弁組立体間に縮設されて前記弁体を閉弁方向へ付勢する戻しスプリングと，前記固定コアを囲繞するように配設され，通電時，発生磁力により前記可動コアを前記固定コアに吸引させて前記弁体を開弁させるコイルとを備えてなり，前記固定コア及び可動コアの中心部に燃料供給部に連通する中央燃料通路を設け，また前記連杆及び前記弁ハウジング間に，前記中央燃料通路に連通する燃料室を画成し，前記弁体及び前記弁ハウジング間に，前記弁体の開弁時，前記燃料室を前記ノズル孔に連通する外側燃料通路を設けた燃料噴射弁において，前記連杆の後端部に，前記中央燃料通路に開口する後側凹部と，この後側凹部を前記燃料室に開放する後部切欠きとを設け，また前記弁体を中空円筒状に形成してその内側に，該弁体の開弁時に前記ノズル孔と連通する内側燃料通路を設け，前記連杆の前端部に，前記内側燃料通路に開口する前側凹部と，この前側凹部を前記燃料室に開放する前部切欠きとを設けたことを第１の特徴とする。
【０００７】
また本発明は，第１の特徴に加えて，前記後部及び前部切欠きの各深さを，対応する前記後側及び前側凹部の深さと同等もしくはそれよりも深く設定したことを第２の特徴とする。
【０００８】
さらに本発明は，第２の特徴に加えて，前記後側及び前側凹部の各底面に円錐状のガイド突起を形成したことを第３の特徴とする。
【発明の効果】
【０００９】
本発明の第１の特徴によれば，連杆の後端部に，中央燃料通路に開口する後側凹部と，この後側凹部を前記燃料室に開放する後部切欠きとを設けたことで，中央燃料通路から後側凹部及び後部切欠きを通して燃料室へ燃料をスムーズに流すことができ，また連杆の前端部に，弁体の内側燃料通路に開口する前側凹部と，この前側凹部を前記燃料室に開放する前部切欠きとを設けたことで，燃料室から内側燃料通路へ後部切欠き及び後側凹部を通して燃料をスムーズに流すことができ，さらに弁体の外側及び内側に，弁体の開弁時，ノズル孔に並列して連通する内側及び外側燃料通路を設けたことで，弁体周りの燃料流路を拡大することができ，以上によって弁体の開弁ストロークを増加させることなく，ノズル孔からの燃料噴射量を容易に増加させ得て，エンジンの高出力化に応えることができる。また弁体の開弁ストローク及び開弁時間の増加の必要がないことから，コイル，延いては燃料噴射弁の大型化を避けることができ，またコイルの消費電力の増加をも抑えることができる。
【００１０】
本発明の第２の特徴によれば，後部及び前部切欠きの各深さを，対応する前記後側及び前側凹部の深さと同等もしくはそれよりも深く設定したことで，後側及び前側凹部での燃料の淀みを防ぐことができ，したがって後側凹部は，後部切欠きと協働して中央燃料通路から燃料室への燃料の流れを，また前側凹部は，前部切欠きと協働して燃料室から内側燃料通路への燃料の流れをそれぞれスムーズに誘導することができ，ノズル孔からの燃料噴射量を一層容易に増加させることができる。
【００１１】
本発明の第３の特徴によれば，後側及び前側凹部の各底面に円錐状のガイド突起を形成したことで，中央燃料通路から燃料室への燃料の流れと，燃料室から内側燃料通路への燃料の流れをそれぞれ一層スムーズに誘導することができる。
【図面の簡単な説明】
【００１２】
【図１】本発明の実施形態に係るガス燃料用噴射弁の縦断面図。
【図２】図１の２部拡大図（但し，開弁状態を示す。）。
【図３】図２の３−３線断面図。
【図４】図２中の弁組立体の分解斜視図。
【発明を実施するための形態】
【００１３】
本発明の実施の形態を添付図面に基づいて以下に説明する。尚，本発明の噴射弁において，ノズル部材側を前と言い，燃料入口筒部側を後という。
【００１４】
先ず，図１及び図２において，ガス燃料用噴射弁Ｉは，エンジンの吸気管Ｅの管壁に設けられる取り付け孔Ｅａに前端部が装着され，エンジンの吸気行程時，ガス燃料を吸気管Ｅ内に噴射する。この噴射弁Ｉの弁ボディ１は，キャップ状のノズル部材２と，このノズル部材２の内周面に前端部を嵌合して溶接等により結合される，磁性体よりなる中空円筒状の弁ハウジング３と，この弁ハウジング３の後端に非磁性円筒体４を介して一体的に連結される固定コア５と，この固定コア５の後端に一体に連設される中空円筒状の燃料入口筒６とよりなっている。固定コア５は，前端面を吸引面５ａとする前端部を非磁性円筒体４内に突入させている。
【００１５】
ノズル部材２には，平坦な弁座７と，この弁座７における所定の円周Ｃ（図３参照）上に配列される複数のノズル孔９，９…とが設けられる。
【００１６】
固定コア５の中心部には，後部スプリング収容孔１９と，この後部スプリング収容孔１９の後端に連なる，それより大径のリテーナ圧入孔１８とが設けられ，このリテーナ圧入孔１８の内周面に中空部３６ａを有するパイプ状の戻しスプリングリテーナ３６が圧入固定される。このスプリングリテーナ３６には一条のスリット３７が設けられ，これによりスプリングリテーナ３６は弾性的に縮径が可能になっており，このスプリングリテーナ３６の外径は，リテーナ圧入孔１８への圧入代を考慮して，自由状態でリテーナ圧入孔１８の内径より大径に設定される。このスプリングリテーナ３６の前端面により後部スプリング座３５が構成される。
【００１７】
リテーナ圧入孔１８の後端には，それより大径の燃料入口筒６の中空部６ａが連なっており，燃料入口筒６の入口には燃料フィルタ３８が装着される。
【００１８】
図２〜図４に示すように，弁ハウジング３の内周面は摺動案内面３ａとされ，この摺動案内面３ａには弁組立体１０が嵌装される。この弁組立体１０は，摺動案内面３ａに摺動自在に嵌合して後端面を固定コア５の前端の吸引面５ａに対向させる円筒状の可動コア１２と，前記弁座７と協働して前記ノズル孔９，９…を開閉する弁体１３と，上記可動コア１２及び弁体１３間を連結する，それらより小径の連杆１４とで構成される。固定コア５及び可動コア１２の対向面間には，弁体１３の弁座７への着座時，弁体１３の開弁ストロークに相当する所定の間隙が設定される。
【００１９】
可動コア１２は，その中心部に固定コア５の後部スプリング収容孔１９と同軸上に並ぶ前部スプリング収容孔３０を有し，またその前端には連結筒部１２ａを有する。
【００２０】
弁体１３は，総じて中空円筒状をなすもので，弁座７に対向する環状の弁部１３ａと，この弁部１３ａの後端に一体に連なる連結筒部１３ｂとよりなっており，その弁部１３ａは，弁座７に離，着座することによりノズル孔９，９…を開閉するようになっている。
【００２１】
また連結筒部１３ｂは，前記摺動案内面３ａに摺動自在に嵌合する鍔状のジャーナル部１３ｂ１を外周に有する。この連結筒部１３ｂには，その内周面，外周面及び後端面に開口する複数の切欠き５０，５０…が設けられる。
【００２２】
連杆１４は，その軸方向に並ぶ一対の後側及び前側連結端部１４ａ，１４ｃと，これら後側及び前側連結端部１４ａ，１４ｃ間を一体に連結する，それらより小径の杆部１４ｂとよりなっていて，前後対称形をなしている。その後側連結端部１４ａを可動コア１２の連結筒部１２ａの内周面に嵌合して溶接等により結合し，また前側連結端部１４ｃを弁体１３の連結筒部１３ｂの内周面に嵌合して溶接等により結合する。こうして可動コア１２，連杆１４及び弁体１３の三者は一体に結合される。
【００２３】
上記１４の後側及び前側連結端部１４ａ，１４ｃには，それぞれの端面に開口する円形の後側及び前側凹部５１ａ，５１ｂと，それら後側及び前側凹部５１ａ，５１ｂを対応する連結端部１４ａ，１４ｃの外周面に開放する各複数の後部及び前部切欠き５２ａ，５２ａ…；５２ｂ，５２ｂ…と，各後側及び前側凹部５１ａ，５１ｂの底面から突出する円錐状のガイド突起５３ａ，５３ｂとが設けられる。各後部及び前部切欠き５２ａ，５２ｂは，それぞれの深さが対応する凹部５１ａ，５１ｂの深さと同等もしくはそれよりも深くなるように形成される。
【００２４】
また杆部１４ｂの外周には，後部及び前部切欠き５２ａ，５２ｂ間を直線的に連通する複数条の縦溝５４，５４…が設けられる。可動コア１２の連結筒部１２ａに嵌合した後側連結端部１４ａの後端面の一部は，可動コア１２の前部スプリング収容孔３０に臨む環状の前部スプリング座３４を構成する。また前側連結端部１４ｃと弁体１３の連結筒部１３ｂとは，それぞれの切欠き５２ｂ，５０の位相を互いに一致させるように嵌合される。
【００２５】
スプリングリテーナ３６の中空部３６ａ，後部スプリング収容孔１９，前部スプリング収容孔３０は，固定コア５及び可動コア１２の中心部を貫いて燃料入口筒６内と連通する中央燃料通路４９を構成し，この中央燃料通路４９には，連杆１４の後側凹部５１ａ及び後部切欠き５２ａが開口する。また前記弁部１３ａの中空部は内側燃料通路５６とされ，弁部１３ａが弁座７から離座したとき，ノズル孔９，９…に連通するようになっている。この内側燃料通路５６は，連杆１４の前側凹部５１ｂ及び前部切欠き５２ｂが開口する。
【００２６】
連杆１４と，その外周面に対向する前記弁ハウジング３の内周面との間には，連杆１４の縦溝５４，５４…及び弁体１３の切欠き５０，５０…が開口する燃料室５５が画成され，各切欠き５０は，上記燃料室５５に軸方向で対向する底面５０ａを有する。
【００２７】
前記弁部１３ａの中空部は内側燃料通路５６とされ，弁部１３ａが弁座７から離座したとき，ノズル孔９，９…に連通するようになっている。この内側燃料通路５６には，連杆１４の前側凹部５１ｂ及び前部切欠き５２ｂ，５２ｂ…が開口する。
【００２８】
ジャーナル部１３ｂ１の前方において，弁体１３と弁ハウジング３との間には，弁体１３の切欠き５０，５０…が開口する環状の外側燃料通路５７が画成される。その際，弁体１３の，上記外側燃料通路５７に臨む外周面は，上記ジャーナル部１３ｂ１よりも小径に形成される一方，弁ハウジング３の上記外側燃料通路５７に臨む内周面には，上記ジャーナル部１３ｂ１よりも大径の拡径部３ｂが設けられる。したがって，外側燃料通路５７は，ジャーナル部１３ｂ１より小径の弁体１３の外周面と，ジャーナル部１３ｂ１より大径の弁ハウジング３内周面の拡径部３ｂとの間に画成される，大容積のものとなる。
【００２９】
再び図１において，前部スプリング座３４と後部スプリング座３５との間に，後部及び前部スプリング収容孔１９，３０に配設される戻しスプリング３３が所定のセット荷重をもって縮設され，そのセット荷重が弁体１３を閉弁方向，即ち弁座７への着座方向へ付勢する。そのセット荷重は，スプリングリテーナ３６のリテーナ圧入孔１８への圧入深さにより調整される。
【００３０】
弁ハウジング３の可動コア１２が嵌合する領域から固定コア５に亙り，それらを囲繞するコイル組立体２０が配設される。このコイル組立体２０は，弁ハウジング３，非磁性円筒体４及び固定コア５の外周に嵌合するボビン２１と，このボビン２１の外周に巻装されるコイル２２とで構成され，このコイル組立体２０の外周には，これを覆う磁性体のコイルハウジング２３が配設される。
【００３１】
固定コア５には，その外周面より突出してボビン２１の後端面を支承するヨークフランジ２４が一体に形成され，このヨークフランジ２４の外周面にコイルハウジング２３の後端部が嵌合される。またコイルハウジング２３の前端部には，ボビン２１の前端面に当接する環状端壁２３ａと，この環状端壁２３ａの内周端より前方に突出して弁ハウジング３の外周面に嵌合して固着される円筒部２３ｂとが一体に形成される。こうしてコイル組立体２０及びコイルハウジング２３は弁ボディ１に取り付けられる。そして，コイルハウジング２３及び燃料入口筒６の外周面には，それらを連続的に被覆する樹脂モールド層２６が形成され，この樹脂モールド層２６には，その一側方に突出するカプラ２８が一体成形され，このカプラ２８は，コイル２２に連なる通電用端子２７を保持する。
【００３２】
ノズル部材２の外周には，環状の前部シール溝４０を画成する前後一対のフランジ４１，４２が形成され，前部シール溝４０には，ノズル部材２をエンジンの吸気管Ｅの取り付け孔Ｅａに挿入したとき，その内周面に密接するシール部材４３が装着される。
【００３３】
また燃料入口筒６の後端部外周に環状の後部シール溝４５が画成され，この後部シール溝４５には，燃料入口筒６の後端部に嵌装される燃料分配管Ｄの内周面に密接するシール部材４７が装着される。
【００３４】
次に，この実施形態の作用について説明する。
【００３５】
コイル２２の消磁状態では，図１に示すように，弁組立体１０は，戻しスプリング３３のセット荷重により前方に押圧され，弁体１３を弁座７に着座させている。
【００３６】
コイル２２を通電により励起すると，それにより生ずる磁束がコイルハウジング２３，弁ハウジング３，可動コア１２，固定コア５，コイルハウジング２３を順次走り，固定コア５及び可動コア１２間に発生する磁力により，図２に示すように，弁組立体１０が戻しスプリング３３のセット荷重に抗して固定コア５の吸引面５ａに吸引され，弁体１３を弁座７から離座させ，ノズル孔９，９…を開く。
【００３７】
ノズル孔９，９…が開くと，図示しないガス燃料タンクから燃料分配管Ｄに送られたガス燃料が，燃料入口筒６に流入して燃料フィルタ３８により濾過され，中央燃料通路４９（スプリングリテーナ３６の中空部３６ａ，固定コア５の後部スプリング収容孔１９，可動コア１２の前部スプリング収容孔３０）を通過後，連杆１４の後側凹部５１ａに流入する。この後側凹部５１ａに流入したガス燃料は，その後側凹部５１ａの底面より突出した円錐状のガイド突起５３ａにより流れが半径方向へ反らされることで，スムーズに複数の後部切欠き５２ａ，５２ａ…へ誘導されるので，上記後側凹部５１ａの底部にガス燃料が淀むことはない。そして上記後側凹部５１ａから弁ハウジング３内の燃料室５５に移ったガス燃料は前方へ流下し，その燃料の一部は，弁体１３の複数の切欠き５０，５０…の各底面５０ａに当たって内側及び外側燃料通路５６，５７に略均等に分流し，他の燃料は，連杆１４の縦溝５４，５４…に沿って流れ，前部切欠き５２ｂ，５２ｂ…及び前側凹部５１ｂを経て弁部１３ａ内側の内側燃料通路５６に流入する。その際，縦溝５４，５４…の底面を流下するガス燃料は，下部の円錐状のガイド突起５３に誘導されて前側凹部５１ｂにスムーズに流入することができ，上記前側凹部５１ｂの底部にガス燃料が淀むことはない。こうして，燃料室５５から内側及び外側燃料通路５６，５７に分流したガス燃料は，複数のノズル孔９，９…からエンジンの吸気管Ｅ内に噴射される。
【００３８】
このように，連杆１４外周の燃料室５５と，弁座７に開口するノズル孔９，９…とは，何れも容積が比較的大きい筒状の内側燃料通路５６と環状の外側燃料通路５７を介して連通するので，弁体１３周りの燃料流路を拡大することができ，これにより弁体１３の開弁ストローク及び開弁時間を増加させることなく，ノズル孔９からの燃料噴射量を容易に増加させ得て，エンジンの高出力化に応えることができる。また弁体１３の開弁ストロークの増加の必要がないことから，コイル，延いては噴射弁Ｉの大型化を避けることができ，またコイルの消費電力の増加をも抑えることができる。
【００３９】
特に，内側及び外側燃料通路５６，５７は，弁体１３の後端部に設けられてその内周面，外周面及び後端面に開口する切欠き５０と，弁体１３の内周面に嵌合結合する連杆１４の前部切欠き５２ｂ及び縦溝５４とを介して弁ハウジング３内の燃料室５５に連通するので，弁体１３及び連杆１４の嵌合部に邪魔されることなく，燃料室５５から内側及び外側燃料通路５６，５７に燃料をスムーズに分流させることができる。しかも，互いに嵌合される弁体１３及び連杆１４は個別製作されるものであるから，それぞれの加工時に，切欠き５０及び前部切欠き５２ｂを容易に形成することができ，生産性を高めることができる。
【００４０】
また弁体１３の連結筒部１２ａは，弁ハウジング３の内周面に摺動自在に嵌合する鍔状のジャーナル部１３ｂ１を有することで，弁体１３の開閉姿勢を安定させることができ，しかも連結筒部１２ａの切欠き５０によって，ジャーナル部１３ｂ１に干渉されることなく，燃料室５５及び外側燃料通路５７間を連通することができる。
【００４１】
しかも，外側燃料通路５７は，ジャーナル部１３ｂ１より小径の弁体１３の外周面と，ジャーナル部１３ｂ１より大径の弁ハウジング３内周面の拡径部３ｂとの間に画成されるので，外側燃料通路５７の容積の拡大，延いては弁体１３周りの燃料流路の拡大を得て，ノズル孔９からの燃料噴射量を容易に増加させることができる。
【００４２】
本発明は，上記各実施形態に限定されるものではなく，その要旨を逸脱しない範囲で種々の設計変更が可能である。例えば，本発明は，ガソリン等の液体燃料用の噴射弁にも適用することができる。
【符号の説明】
【００４３】
Ｉ・・・・・燃料噴射弁（ガス燃料用噴射弁）
２・・・・・ノズル部材
３・・・・・弁ハウジング
５・・・・・固定コア
７・・・・・弁座
９・・・・・ノズル孔
１０・・・・弁組立体
１２・・・・可動コア
１３・・・・弁体
１４・・・・連杆
２２・・・・コイル
３３・・・・戻しスプリング
４９・・・・中央燃料通路
５１ａ・・・後側凹部
５１ｂ・・・前側凹部
５２ａ・・・後部切欠き
５２ｂ・・・前部切欠き
５３ａ・・・ガイド突起
５３ｂ・・・ガイド突起
５５・・・・燃料室
５６・・・・内側燃料通路
５７・・・・外側燃料通路
【図１】
2014070575.tif 000003
【図２】
2014070575.tif 000004
【図３】
2014070575.tif 000005
【図４】
2014070575.tif 000006